(57)【特許請求の範囲】
【請求項１】
前面を開口した後部箱体の前部に、板金枠体を一体的に取り付けたゲーム機用筐体であって、
該後部箱体は、木質材を用いて形成された背板、天板、底板、左側板及び右側板を箱状に固定して形成され、
該板金枠体は、該天板の前縁部を覆って固定される板金製の上辺枠と、該左側板の前縁部を覆って固定される板金製の左辺枠、該右側板の前縁部を覆って固定される板金製の右辺枠と、該底板の前縁部を覆って固定される下辺枠と、を方形枠状に結合して形成され、
該左辺枠は、該左側板の前縁部の外側を覆う左外側枠材と該左側板の前縁部の内側を覆う左内側枠材とを有し、該右辺枠は、該右側板の前縁部の外側を覆う右外側枠材と該右側板の前縁部の内側を覆う右内側枠材とを有し、
該左外側枠材と該左内側枠材は、該左側板の該前縁部を内外から挟むように取り付けられ、該右外側枠材と該右内側枠材は、該右側板の該前縁部を内外から挟むように取り付けられ、
該下辺枠は、該底板の前縁部の外側を覆う下外側枠材と該底板の前縁部の内側を覆う下内側枠材とを有し、該下外側枠材と該下内側枠材は、該底板の前縁部を内外から挟むように取り付けられ、
該左内側枠材に、複数の切り起し部が該左外側枠材側に向けて折り曲げて突設され、該右内側枠材に、複数の切り起し部が該右外側枠材側に向けて折り曲げて突設され、該下内側枠材に、複数の切り起し部が該下外側枠材側に向けて折り曲げて突設され、該各切り起し部は、該左外側枠材、該右外側枠材、または該下外側枠材にクリンチかしめ接合により固定され、該各切り起し部の折り曲げ面に前記後部箱体の前縁部が当接して前記板金枠体が取り付けられたことを特徴とするゲーム機用筐体。
【請求項２】
前記後部箱体の背板、天板、底板、左側板及び右側板を構成する木質材が、中密度繊維板により形成されたことを特徴とする請求項１記載のゲーム機用筐体。
【請求項３】
前記上辺枠の左端部が前記左辺枠の上端部と結合する結合部分を覆って、左角部材が取り付けられ、前記上辺枠の右端部が前記右辺枠の上端部と結合する結合部分を覆って、右角部材が取り付けられたことを特徴とする請求項１記載のゲーム機用筐体。
【請求項４】
前記下内側枠材の内側面の両側端部に、補強用の垂直取付板が立設され、該垂直取付板の内側直角部には三角リブが設けられ、前記板金枠体の左辺枠と右辺枠の下部が該垂直取付板に固定ねじで固定されることを特徴とする請求項１記載のゲーム機用筐体。
【発明の詳細な説明】
【技術分野】
【０００１】
本発明は、スロットマシンなどのゲーム機の筐体に関し、後部箱体と後部箱体の前部に板金枠体を一体的に取り付けた構造のゲーム機用筐体に関する。
【背景技術】
【０００２】
スロットマシンなどのゲーム機に使用される筐体は、従来、合板などを用いた木製筐体が通常であり、ホールの島に各ゲーム機を設置する際には、木製筐体に対し釘や木ねじを打ち付けて固定していた。このため、一度使用した木製筐体は、釘孔やねじ孔があるために、使用済みとなってリユースができず、多くの台数の木製筐体が焼却処分されたり、埋め立て処分され、環境問題となっていた。
【０００３】
このため、ゲーム機用筐体として、リユースやリサイクルが可能な金属製筐体が、下記特許文献１などで提案されている。この金属製筐体は、筐体の背板、上板、底板、左右の側板を、各々金属板を用いて、板金加工により所定形状に成形し、それらの板金部品を組み付けて、筐体を形成していた。
【先行技術文献】
【特許文献】
【０００４】
【特許文献１】特開２００４−３２９３２９号公報
【発明の概要】
【発明が解決しようとする課題】
【０００５】
しかし、この金属製のゲーム機用筐体は、筐体の背板、上板、底板、左右の側板が、各々、プレスによる板金加工で製造されるため、加工の容易性や重量の軽量化から、板金材料の板厚を薄くしている。このため、筐体の強度不足を補う必要性から、背板、上板、底板、左右側板の各々に、別に製造した補強部材を固定する必要があり、特に、重量のある前扉がヒンジを介して取り付けられる左右側板には複雑な補強部材を、溶接やリベットかしめなどにより取り付ける必要があった。
【０００６】
このため、それらの補強部材の製造コストを含め、筐体の背板、上板、底板、左右側板をプレス加工するための成形型の製作コスト、補強部材を含む背板、上板、底板、左右側板の組付作業のコストなどが嵩み、筐体の製造コストが非常に高くなる課題があった。
【０００７】
本発明は、上述の課題を解決するものであり、地球環境を保護しつつ、製造コストを効果的に低減することができるゲーム機用筐体を提供することを目的とする。
【課題を解決するための手段】
【０００８】
本発明に係る筐体は、前面を開口した後部箱体の前部に、板金枠体を一体的に取り付けたゲーム機用筐体であって、
該後部箱体は、木質材を用いて形成された背板、天板、底板、左側板及び右側板を箱状に固定して形成され、
該板金枠体は、該天板の前縁部を覆って固定される板金製の上辺枠と、該左側板の前縁部を覆って固定される板金製の左辺枠、該右側板の前縁部を覆って固定される板金製の右辺枠と、該底板の前縁部を覆って固定される下辺枠と、を方形枠状に結合して形成され、
該左辺枠は、該左側板の前縁部の外側を覆う左外側枠材と該左側板の前縁部の内側を覆う左内側枠材とを有し、該右辺枠は、該右側板の前縁部の外側を覆う右外側枠材と該右側板の前縁部の内側を覆う右内側枠材とを有し、
該左外側枠材と該左内側枠材は、該左側板の該前縁部を内外から挟むように取り付けられ、該右外側枠材と該右内側枠材は、該右側板の該前縁部を内外から挟むように取り付けられ、
該下辺枠は、該底板の前縁部の外側を覆う下外側枠材と該底板の前縁部の内側を覆う下内側枠材とを有し、該下外側枠材と該下内側枠材は、該底板の前縁部を内外から挟むように取り付けられ、
該左内側枠材に、複数の切り起し部が該左外側枠材側に向けて折り曲げて突設され、該右内側枠材に、複数の切り起し部が該右外側枠材側に向けて折り曲げて突設され、該下内側枠材に、複数の切り起し部が該下外側枠材側に向けて折り曲げて突設され、該各切り起し部は、該左外側枠材、該右外側枠材、または該下外側枠材にクリンチかしめ接合により固定され、該各切り起し部の折り曲げ面に前記後部箱体の前縁部が当接して前記板金枠体が取り付けられたことを特徴とする。ここで、上記筐体の上下左右は、筐体を正面から見たときの上下左右を示している。
【０００９】
この発明のゲーム機用筐体によれば、木質材の後部箱体は筐体の一部を構成するのでみであるから、焼却処分や埋め立て処分される木質材は少なくなり、環境問題を抑制することができる。さらに、後部箱体の前部に取り付けられる板金枠体は、その左辺枠、右辺枠、下辺枠が内側枠材と外側枠材とで後部箱体の前縁部を覆い且つ挟むように取り付けられるので、強度を保持しつつ板金の厚さを薄くすることができ、筐体の軽量化を図ることができ、さらに、板金枠体は、全体を板金で形成した従来の筐体に比して、左辺枠、右辺枠、下辺枠などの部分が小形化され、プレス型の小型化、材料量の低減などから、製造コストを大幅に低減することができる。
さらに、左内側枠材に、複数の切り起し部が左外側枠材側に向けて折り曲げて突設され、右内側枠材に、複数の切り起し部が右外側枠材側に向けて折り曲げて突設され、下内側枠材に、複数の切り起し部が下外側枠材側に向けて折り曲げて突設され、各切り起し部は、左外側枠材、右外側枠材、または下外側枠材にクリンチかしめ接合により固定され、各切り起し部の折り曲げ面に後部箱体の前縁部が当接して板金枠体が取り付けられるので、板金枠体を正確な位置に、後部箱体の前縁部を覆って取り付けることができ、プレス加工のみの少ない工数で、簡単に十分な強度で、板金枠体の内側枠体と外側枠体を固定することができる。
【００１０】
ここで、上記後部箱体の背板、天板、底板、左側板及び右側板を形成する木質材は、中密度繊維板を使用することが好ましい。中密度繊維板は、十分な強度を有し、加工が容易で、且つ廃棄される各種木材をリサイクル加工して製造されるので、地球環境の保護に資することができる。
【００１１】
またここで、後部箱体の天板の前縁部を覆って固定される板金製の上辺枠は、その両側端部が上記左辺枠と右辺枠の上端部と結合され、その結合部分を覆うように左角部材と右角部材を取り付けることが好ましい。
【００１３】
またここで、上記下内側枠材の内側面の両側端部に、補強用の垂直取付板を立設し、該垂直取付板の内側直角部には三角リブを設け、上記板金枠体の左辺枠と右辺枠の下部を該垂直取付板に固定ねじで固定することが好ましい。これによれば、補強された垂直取付板に板金枠体の左辺枠と右辺枠の下部が固定されるため、高い強度で板金枠体の左辺枠と右辺枠を、下辺枠の両側端部に垂直に固定することができる。
【発明の効果】
【００１４】
この発明のゲーム機用筐体によれば、地球環境の保護を図りつつ、製造コストを低減することができる。
【図面の簡単な説明】
【００１５】
【図１】本発明の一実施形態を示すゲーム機用筐体の斜視図である。
【図２】同ゲーム機用筐体の下側から見た斜視図である。
【図３】後部箱体の斜視図である。
【図４】左辺枠の斜視図である。
【図５】右辺枠の斜視図である。
【図６】下辺枠の斜視図である。
【図７】上辺枠の斜視図である。
【図８】斜め右から見た筐体の分解斜視図である。
【図９】斜め左から見た筐体の分解斜視図である。
【図１０】右辺枠の分解斜視図である。
【図１１】左辺枠の分解斜視図である。
【図１２】下辺枠の分解斜視図である。
【図１３】左角部材の正面側から見た分解斜視図（ａ）、背面側から見た分解斜視図（ｂａ）である。
【図１４】右角部材の正面側から見た分解斜視図（ａ）、背面側から見た分解斜視図（ｂａ）である。
【図１５】左辺枠の上部の部分断面斜視図である。
【図１６】右辺枠の上部の部分断面斜視図である。
【図１７】下辺枠の部分断面斜視図である。
【発明を実施するための形態】
【００１６】
以下、本発明の一実施形態を図面に基づいて説明する。図１に示す筐体は、スロットマシンなどに使用されるゲーム機用筐体であり、前面を開口した後部箱体１と、その前部に取り付けられた板金枠体２とを備えて構成される。
【００１７】
後部箱体１は、図３に示すように、木質材を用いて形成された背板１１、天板１２、底板１３、左側板１４及び右側板１５を箱状に固定し、前面を開口した縦長の箱状に形成される。この後部箱体１の背板１１、天板１２、底板１３、左側板１４及び右側板１５は、中密度繊維板（ＭＤＦ）から形成される。中密度繊維板は、合板、製材の残材、梱包材、建築解体材などの木質系廃棄物をチップとして再生使用し、蒸煮、解繊して、合成樹脂接着剤を加え、ファイバーボードとして板状に形成される。このため、後部箱体１を十分な強度で形成することができるとともに、貫通孔や固定ねじ孔などの加工が容易で、且つ廃棄される各種木材をリサイクル加工して製造されるので、地球環境の保護に資することができる。
【００１８】
なお、背板１１、天板１２、底板１３、左側板１４及び右側板１５からなる後部箱体１は、上記と同様に、木質系廃棄物をチップとして再生使用して板状に成形するパーティクルボード、硬質繊維板（スターウッド）を使用することもでき、或いは各種合板などの木質材で形成することもできる。
【００１９】
図３に示すように、後部箱体１の背板１１、天板１２、底板１３、左側板１４及び右側板１５の前縁部には、板金枠体２を取り付けるために、方形枠状に沿って嵌合部１ａが形成される。嵌合部１ａは、その板厚を、段差を付けて薄くなるように形成され、嵌合部１ａには複数の固定孔１ｂが間隔をおいて形成される。筐体の正面形状は、図１，２に示す如く、下部を前方に突き出し、上部を後退させるように前後に傾斜した形成されるところ、後部箱体１の正面形状は、その前縁部の嵌合部１ａが鉛直に形成され、箱体の前後の厚さは同一となっている。後部箱体１は、背板１１、天板１２、底板１３、左側板１４及び右側板１５を箱状に組み合わせ、接合部を接着剤、ねじ止めなどにより接合して製造される。
【００２０】
嵌合部１ａには、後述の板金枠体２が嵌合して固定され、固定孔１ｂに固定ねじを用いて板金枠体２が後部箱体１の前部に組み付けられる。なお、図示は省略されているが、木質系の後部箱体１では、その背板１１及び天板１２の内側に、薄い金属板を貼着して、内部の電気機器を電磁的にシールドする構造とすることもできる。
【００２１】
板金枠体２は、図１，２に示すように、天板１２の前縁部を覆って固定される板金製の上辺枠２１と、左側板１４の前縁部を覆って固定される板金製の左辺枠２２、右側板１５の前縁部を覆って固定される板金製の右辺枠２３と、底板１３の前縁部を覆って固定される下辺枠２４と、を方形枠状に結合して形成される。
【００２２】
左辺枠２２は、図４、図１１に示すように、左側板１４の前縁部の外側を覆う左外側枠材２６と左側板１４の前縁部の内側を覆う左内側枠材２７とを有して形成され、左外側枠材２６と左内側枠材２７は、その上部が細く、下部が幅広形状の略縦長三角形状に形成される。さらに、その前縁部には折り曲げ部２６ｂ，２７ｂが形成され、両者の前縁部である、折り曲げ部２６ｂ，２７ｂを重ね合わせる形態で、左側板１４の前縁部に取り付けられる。
【００２３】
さらに、左内側枠材２７には、複数の切り起し部２７ａが、間隔をおいて内側に、つまり左外側枠材２６側に向けて、切り起され、且つ直角に曲折されて形成される。それらの切り起し部２７ａの先端部はさらに直角に曲げられ、左外側枠材２６に当接する。
【００２４】
図４、図１１に示すように、左辺枠２２は左内側枠材２７と左外側枠材２６を、その前縁部の折り曲げ部２６ｂ、２７ｂを重ね合わせて組み付けられるが、その際、左内側枠材２７の切り起し部２７ａは、クリンチかしめ接合により、左外側枠材２６に固定される。このため、溶接工程などを不要とし、プレス加工のみの工程で簡単に、左内側枠材２７と左外側枠材２６を、所定の間隔をあけた状態で組み付けて固定し、左辺枠２２を製造することができる。
【００２５】
なお、左辺枠２２の左外側枠材２６には、図１１に示す如く、ねじ孔部２６ｃが内側に突出して設けられ、左内側枠材２７にはそれらに対応した位置に固定ねじ用の挿入孔が設けられる。左辺枠２２を後部箱体１の左側板１４の前部に組み付ける場合、その左外側枠材２６と左内側枠材２７は、左側板１４の前縁部を内外から挟むように嵌合して取り付けられる。
【００２６】
同様に、右辺枠２３は、図５、図１０に示す如く、右側板１５の前縁部の外側を覆う右外側枠材２８と右側板１５の前縁部の内側を覆う右内側枠材２８とを有して形成され、右外側枠材２８と右内側枠材２９は、その上部が細く、下部が幅広形状の略縦長三角形状に形成される。さらに、その前縁部には折り曲げ部２８ｂ，２９ｂが形成され、両者の前縁部の折り曲げ部２８ｂ，２９ｂを重ね合わせる形態で、右外側枠材２８と右内側枠材２９からなる右辺枠２３は右側板１５の前縁部に取り付けられる。
【００２７】
右内側枠材２９には、複数の切り起し部２９ａが、間隔をおいて内側に、右外側枠材２８側に向けて、切り起され、且つ直角に曲折されて形成される。それらの切り起し部２９ａの先端部はさらに直角に曲げられ、右外側枠材２８に当接する。図５、図１０に示すように、右辺枠２３は右内側枠材２９と右外側枠材２８を、その前縁部の折り曲げ部２８ｂ、２９ｂを重ね合わせて組み付けられるが、その際、右内側枠材２９の切り起し部２９ａは、クリンチかしめ接合により、右外側枠材２８に固定される。
【００２８】
このため、溶接工程などを不要とし、プレス加工のみの工程で簡単に、右内側枠材２８と右外側枠材２９を、所定の間隔をあけた状態で組み付けて固定し、右辺枠２３を製造することができる。なお、右辺枠２３の右外側枠材２８には、図１０に示す如く、ねじ孔部２８ｃが内側に突出して形成され、右内側枠材２９にはそれらに対応した位置に固定ねじ用の挿入孔が設けられる。右辺枠２３を後部箱体１の右側板１５の前部に組み付ける場合、その右外側枠材２８と右内側枠材２９は、右側板１５の前縁部を内外から挟む形態で、後部箱体１の右側板１５の前部に右辺枠２３を嵌合して取り付けられる。
【００２９】
下辺枠２４は、図６，１２に示すように、底板１３の前縁部の外側を覆う下外側枠材３１と底板１３の前縁部の内側を覆う下内側枠材３２とを有して構成され、下辺枠２４の下外側枠材３１と下内側枠材３２は、底板１３の前縁部を内外（上下）から挟む形態で、底板１３の前縁部に嵌合して取り付けられる。
【００３０】
図１２に示す如く、下外側枠材３１には、その前縁部に折り曲げ部３１ｂが形成され、その奥に複数のねじ孔部３１ｃが、間隔をあけて内側（上側）に突出して形成される。下内側枠材３２は、下外側枠材３１より幅広に形成され、その前縁部に折り曲げ部３２ｂが形成される。さらに、下内側枠材３２には、複数の切り起し部３２ａが下外側枠材３１側に向けて形成される。
【００３１】
これらの切り起し部３２ａは、所定の間隔をおいて下内側枠材３２と下外側枠材３１が重ね合わされるように設けられ、その先端部はさらに直角に曲げられ、下外側枠材３１に当接する。そして、製造時、図６、１２に示すように、下辺枠２４は下内側枠材３２と下外側枠材３１を、その前縁部の折り曲げ部３２ｂ、３１ｂを重ね合わせて組み付けられるが、その際、下内側枠材３２の切り起し部３２ａは、クリンチかしめ接合により、下外側枠材３１に固定される。これにより、下辺枠２４の下内側枠材３２と下外側枠材３１間には、所定の厚さの空間が形成され、後部箱体１への組み付け時には、その空間に底板１４が嵌め込まれ、固定される。その際、底板１４の前端部が折り曲げ部３２ｂ、３１ｂに当接し、下辺枠２４と底板１４の位置決めを正確に行って容易に組み付けることができるようになっている。
【００３２】
さらに、図６，１２に示す如く、下内側枠材３２の内側面（上面）の両側端部に、補強用の垂直取付板３２ｄが立設され、垂直取付板３２ｄの内側直角部には三角リブ３２ｃが設けられる。図８に示すように、後部箱体１の前部に板金枠体２を組み付ける際、左辺枠２２と右辺枠２３の下部が垂直取付板３２ｄに当接され、固定ねじで垂直取付板３２ｄが左辺枠２２と右辺枠２３の下部に固定される。これにより、下辺枠２４上で立設され補強された垂直取付板３２ｄに、板金枠体２の左辺枠２２と右辺枠２３の下部が固定されるため、高い強度で板金枠体２の左辺枠２２と右辺枠２３を、下辺枠２４の両側端部に垂直に固定することができる。
【００３３】
図７に示すように、板金枠体２の上辺枠２１は、帯状の板金で形成され、その前部が折り曲げられて折り曲げ部２１ｂを形成し、平面部には複数の固定孔が設けられる。上辺枠２１は、後部箱体１の天板１２の前縁部に上から覆うように取り付けられ、固定ねじで固定される。このように、後部箱体１に板金枠体２を取り付ける際、上辺枠２１の両側端部は、左辺枠２２と右辺枠２３の上端部に当接して組み付けられるが、その両側角部には、図１３の左角部材５と図１４の右角部材６が、両側角部を覆って結合させるように固定される。
【００３４】
左角部材５と右角部材６は、図１３，図１４に示すように、左辺枠２２と右辺枠２３の上端部を完全に覆って嵌合される形状に、硬質合成樹脂或いは金属により成形される。図９に示すように、後部箱体１の前部に板金枠体２を組み付ける際、左角部材５は、上辺枠２１と左辺枠２２の結合部分を上から覆うように組付けられ、固定孔５ａに固定ねじを挿入して固定される。また、右角部材６は、上辺枠２１と右辺枠２３の結合部分を上から覆うように組付けられ、固定孔６ａに固定ねじを挿入して固定される。
【００３５】
上述のように、ゲーム機用筐体を製作するに際し、後部箱体１が中密度繊維板により箱状に形成され、板金枠体２の上辺枠２１、左辺枠２２、右辺枠２３、及び下辺枠２４が上記のように、板金（薄い鋼板）を用いてプレス加工により製造される。
【００３６】
次に、図８，９に示すように、上辺枠２１が後部箱体１の天板１２の前縁部に被せるように固定され、左辺枠２２が後部箱体１の左側板１４の前縁部を内側に嵌入させ、左外側枠材２６と左内側枠材２７の間で左側板１４の前縁部を内外から挟むように嵌合させる。このとき、左側板１４の前縁部が左内側枠材２７の切り起し部２７ａに当接し、嵌合位置の位置決めが正確に行われる。この状態で、ねじ孔部２６ｃから固定ねじが挿入され、左外側枠材２６と左内側枠材２７の間で左側板１４の前縁部を挟み込むようにして締め付け固定される。
【００３７】
同様に、右辺枠２３が、後部箱体１の右側板１５の前縁部を内側に嵌入させるように、つまり右外側枠材２８と右内側枠材２９の間で右側板１５の前縁部を内外から挟むように、嵌合される。このとき、右側板１５の前縁部が右内側枠材２９の切り起し部２９ａに当接し、嵌合位置の位置決めが正確に行われる。この状態で、ねじ孔部２８ｃから固定ねじが挿入され、右外側枠材２８と右内側枠材２９の間で右側板１５の前縁部を挟み込むようにして締め付け固定される。
【００３８】
さらに、下辺枠２４が、後部箱体１の底板１３の前縁部を内側に嵌入させるように、つまり下辺枠２４が後部箱体１の底板１３の前縁部を内外（上下）から挟むように、嵌合される。このとき、底板１３の前縁部が下辺枠２４の切り起し部３２ａに当接し、嵌合位置の位置決めが正確に行われる。この状態で、ねじ孔部３１ｃから固定ねじが挿入され、下外側枠材３１と下内側枠材３２の間で底板１３の前縁部を挟み込むようにして締め付け固定される。
【００３９】
このとき、左辺枠２２と右辺枠２３の下部が下辺枠２４の両側の垂直取付板３２ｄに当接し、垂直取付板３２ｄが左辺枠２２と右辺枠２３の下部に、固定ねじにより締め付け固定される。これにより、板金枠体２の左辺枠２２と右辺枠２３の下部が、下辺枠２４上の両側に、垂直取付板３２ｄを介して強固に固定される。
【００４０】
そして、最後に、左角部材５が、上辺枠２１と左辺枠２２の結合部分を上から覆うように組付けられ、固定孔５ａに固定ねじを挿入して固定され、右角部材６が、上辺枠２１と右辺枠２３の結合部分を上から覆うように組付けられ、固定孔６ａに固定ねじを挿入して固定される。
【００４１】
このように、木質材の後部箱体１は筐体の一部を構成するのでみであるから、焼却処分や埋め立て処分される木質材は従来の木質系筐体より少なくなり、環境問題を抑制することができる。
【００４２】
さらに、後部箱体１の前部に取り付けられる板金枠体２は、その左辺枠２２、右辺枠２３、下辺枠２４が内側枠材と外側枠材とで後部箱体１の前縁部を覆い且つ挟むように取り付けられるので、必要な強度を保持しつつ板金の厚さを薄くすることができ、筐体の軽量化を図ることができ、さらに、板金枠体２は、全体を板金で形成した従来の筐体に比して、左辺枠２２、右辺枠２３、下辺枠２４などの部分が小形化され、プレス型の小型化、材料量の低減などから、製造コストを大幅に低減することができる。
【符号の説明】
【００４３】
１      後部箱体
１ａ    嵌合部
１ｂ    固定孔
２      板金枠体
５      左角部材
５ａ    固定孔
６      右角部材
６ａ    固定孔
１１    背板
１２    天板
１３    底板
１４    左側板
１５    右側板
２１    上辺枠
２１ｂ  折り曲げ部
２２    左辺枠
２３    右辺枠
２４    下辺枠
２６    左外側枠材
２６ｂ  折り曲げ部
２６ｃ  ねじ孔部
２７    左内側枠材
２７ａ  切り起し部
２８    右外側枠材
２８ｂ  折り曲げ部
２８ｃ  ねじ孔部
２９    右内側枠材
２９ａ  切り起し部
３１    下外側枠材
３１ｂ  折り曲げ部
３１ｃ  ねじ孔部
３２    下内側枠材
３２ａ  切り起し部
３２ｂ  折り曲げ部
３２ｃ  三角リブ
３２ｄ  垂直取付板
【図１】
0006342833.tif 000002
【図２】
0006342833.tif 000003
【図３】
0006342833.tif 000004
【図４】
0006342833.tif 000005
【図５】
0006342833.tif 000006
【図６】
0006342833.tif 000007
【図７】
0006342833.tif 000008
【図８】
0006342833.tif 000009
【図９】
0006342833.tif 000010
【図１０】
0006342833.tif 000011
【図１１】
0006342833.tif 000012
【図１２】
0006342833.tif 000013
【図１３】
0006342833.tif 000014
【図１４】
0006342833.tif 000015
【図１５】
0006342833.tif 000016
【図１６】
0006342833.tif 000017
【図１７】
0006342833.tif 000018